(57)【要約】【課題】  薬剤を広範囲に拡散することができる拡散器を提供する。【解決手段】  芳香器本体１１を下部構成部１２とカバー１３で構成し、カバー１３内に薬剤瓶１４を交換可能に設ける。下部構成部材１２を、容器部２１と隔成部２２とファン２３とリングフィン２４と薬剤載置部２５とで構成する。薬剤載置部２５の上部傾斜面９１下面が構成する上壁面１３２と隔成部２２の下部傾斜面４１上面が構成する下壁面１３３との間に排出口１３４を設け、芳香器本体１１の全周に渡って延設する。前記上壁面１３２と前記下壁面１３３と前記リングフィン２４とを、内側から外側へ向かうに従って上方へ傾斜した傾斜面で構成する。【選択図】        図９
2006158467.tif 000002
【特許請求の範囲】
【請求項１】
拡散器本体内で気化した薬剤を送風手段によって排出口から外部へ放出する拡散器において、
前記排出口を介して外部へ送出される前記薬剤を斜め上方へ案内するガイド手段を設けたことを特徴とする拡散器。
【請求項２】
前記拡散器本体の内側から外側へ向けて延在する下壁面と、該下壁面から上方へ離間した位置にて前記拡散器本体の内側から外側へ向けて延在する上壁面との間に前記排出口を形成するとともに、前記下壁面と前記上壁面との間に、前記拡散器本体の内側から外側へ向かうに従って斜め上方に傾斜したフィンを設けて前記ガイド手段を構成したことを特徴とする請求項１記載の拡散器。
【請求項３】
前記下壁面を、前記拡散器本体の内側から外側へ向かうに従って斜め上方に傾斜する傾斜面で構成したことを特徴とする請求項２記載の拡散器。
【請求項４】
前記上壁面を、前記拡散器本体の内側から外側へ向かうに従って斜め上方に傾斜する傾斜面で構成したことを特徴とする請求項２又は３記載の拡散器。
【請求項５】
拡散器本体内で気化した薬剤を送風手段によって排出口から外部へ放出する拡散器において、
前記拡散器本体の内側から外側へ向けて延在する下壁面と、該下壁面から上方へ離間した位置にて前記拡散器本体の内側から外側へ向けて延在する上壁面との間に前記排出口を形成し、前記下壁面及び前記上壁面を、前記拡散器本体の内側から外側へ向かうに従って斜め上方に傾斜する傾斜面で構成するとともに、前記下壁面と前記上壁面との間に、前記拡散器本体の内側から外側へ向かうに従って斜め上方に傾斜したフィンを設ける一方、
前記下壁面の外側の縁の高さ位置を、前記フィンの内側の縁の高さ位置に達する又は近接する高さに設定するとともに、前記フィンの外側の縁の高さ位置を、前記上壁面の内側の縁の高さ位置に達する又は近接する高さに設定したことを特徴とする拡散器。
【請求項６】
前記排出口を、前記拡散器本体の全周に渡って形成したことを特徴とする請求項５記載の拡散器。
【請求項７】
前記拡散器本体に、気化された薬剤を貯留する貯留部を設け、該貯留部の上部に吸気口を設定するとともに下部に前記排気口を設定する一方、
前記送風手段を、前記吸気口から吸気して前記排気口から排出する為に間欠駆動されるファンで構成したことを特徴とする請求項１〜６にいずれか記載の拡散器。
【発明の詳細な説明】
【技術分野】
【０００１】
本発明は、気化した薬剤を放出する拡散器に関する。
【背景技術】
【０００２】
従来、殺虫成分を含有した液状薬剤を気化して放出する際には、拡散器が用いられていた（例えば、特許文献１〜３）。
【０００３】
これらの拡散器は、外部の空気を取り込んで排出する送風手段を備えており、気化した薬剤を排気口から排出して強制拡散できるように構成されている。
【特許文献１】実開平０５−０５３４７９号公報
【特許文献２】特開２００３−１５８９７６号公報
【特許文献３】特開２００３−１５８９７８号公報
【発明の開示】
【発明が解決しようとする課題】
【０００４】
しかしながら、このような拡散器にあっては、薬剤を含有した空気が排気口から水平方向又は斜め下方に排出されるため、薬剤を広い範囲に拡散することができなかった。
【０００５】
本発明は、このような従来の課題に鑑みてなされたものであり、薬剤を広範囲に拡散することができる拡散器を提供することを目的とするものである。
【課題を解決するための手段】
【０００６】
前記課題を解決するために本発明の請求項１の拡散器にあっては、拡散器本体内で気化した薬剤を送風手段によって排出口から外部へ放出する拡散器において、前記排出口を介して外部へ送出される前記薬剤を斜め上方へ案内するガイド手段を設けた。
【０００７】
すなわち、拡散器本体内で気化された薬剤が送風手段によって排出口から外部へ送出される際には、ガイド手段によって斜め上方へ案内される。これにより、前記薬剤は、斜め上方へ向けて放出される。
【０００８】
また、請求項２の拡散器においては、前記拡散器本体の内側から外側へ向けて延在する下壁面と、該下壁面から上方へ離間した位置にて前記拡散器本体の内側から外側へ向けて延在する上壁面との間に前記排出口を形成するとともに、前記下壁面と前記上壁面との間に、前記拡散器本体の内側から外側へ向かうに従って斜め上方に傾斜したフィンを設けて前記ガイド手段を構成した。
【０００９】
すなわち、気化された薬剤が送出される排出口は、下壁面と上壁面との間に設けられており、両壁面間には、拡散器本体の内側から外側へ向かうに従って斜め上方に傾斜したフィンが設けられている。
【００１０】
このため、前記薬剤は、このフィンによって斜め上方へ案内される。
【００１１】
さらに、請求項３の拡散器では、前記下壁面を、前記拡散器本体の内側から外側へ向かうに従って斜め上方に傾斜する傾斜面で構成した。
【００１２】
すなわち、下壁面は、拡散器本体の内側から外側へ向かうに従って斜め上方に傾斜する傾斜面で構成されており、前記排出口を通過する前記薬剤は、この下壁面に沿って斜め上方に案内される。
【００１３】
加えて、請求項４の拡散器においては、前記上壁面を、前記拡散器本体の内側から外側へ向かうに従って斜め上方に傾斜する傾斜面で構成した。
【００１４】
すなわち、傾斜した下壁面に対向する上壁面は、拡散器本体の内側から外側へ向かうに従って斜め上方に傾斜する傾斜面で構成されており、前記上壁面が水平に形成された場合と比較して、外側面近傍での排出口の開口面積の縮小が防止される。
【００１５】
そして、請求項５の拡散器にあっては、拡散器本体内で気化した薬剤を送風手段によって排出口から外部へ放出する拡散器において、前記拡散器本体の内側から外側へ向けて延在する下壁面と、該下壁面から上方へ離間した位置にて前記拡散器本体の内側から外側へ向けて延在する上壁面との間に前記排出口を形成し、前記下壁面及び前記上壁面を、前記拡散器本体の内側から外側へ向かうに従って斜め上方に傾斜する傾斜面で構成するとともに、前記下壁面と前記上壁面との間に、前記拡散器本体の内側から外側へ向かうに従って斜め上方に傾斜したフィンを設ける一方、前記下壁面の外側の縁の高さ位置を、前記フィンの内側の縁の高さ位置に達する又は近接する高さに設定するとともに、前記フィンの外側の縁の高さ位置を、前記上壁面の内側の縁の高さ位置に達する又は近接する高さに設定した。
【００１６】
すなわち、拡散器本体内で気化された薬剤が送風手段によって排出口から外部へ送出される際には、下壁面と上壁面との間に設けられたフィンによって斜め上方に案内される。また、前記排出口を通過する前記薬剤は、前記傾斜面で構成された下壁面に沿って斜め上方に案内される。これにより、前記薬剤は、斜め上方へ向けて放出される。
【００１７】
そして、傾斜した前記下壁面に対向する前記上壁面は、拡散器本体の内側から外側へ向かうに従って斜め上方に傾斜する傾斜面で構成されており、前記上壁面が水平に形成された場合と比較して、外側面近傍での排出口の開口面積の縮小が防止される。
【００１８】
さらに、前記下壁面の外側の縁の高さ位置は、前記フィンの内側の縁の高さ位置に達する又は近接する高さに設定されているとともに、前記フィンの外側の縁の高さ位置は、前記上壁面の内側の縁の高さ位置に達する又は近接する高さに設定されている。
【００１９】
このため、前記下壁面から前記フィンまでの間隔、及び該フィンから前記上壁面までの間隔を確保しつつ、拡散器本体内と外部との間にて水平に延在する送出経路の形成が防止される。
【００２０】
これにより、拡散器本体内と外部との間に水平に延在する送出経路の形成される場合と比較して、横方向からの内部の露出が抑えられる。
【００２１】
また、請求項６の拡散器においては、前記排出口を、前記拡散器本体の全周に渡って形成した。
【００２２】
これにより、排出口から排出される薬剤は、拡散器本体を中心として放射状に放出される。
【００２３】
さらに、請求項７の拡散器では、前記拡散器本体に、気化された薬剤を貯留する貯留部を設け、該貯留部の上部に吸気口を設定するとともに下部に前記排気口を設定する一方、前記送風手段を、前記吸気口から吸気して前記排気口から排出する為に間欠駆動されるファンで構成した。
【００２４】
すなわち、薬剤自体は、通常空気より重い成分がほとんどである為、特に貯留部を有する拡散器本体の場合、貯留部より下方から排気するようにした方が薬剤が付与された空気を効率よく排気できる。しかし、下方から排気するため、広い範囲に付与できないという問題点が発生する。
【００２５】
このような拡散器において、前述した排気口の構成を用いることによって、空気に付与された薬剤が効率良く広範囲に拡散される。
【発明の効果】
【００２６】
以上説明したように本発明の請求項１の拡散器にあっては、拡散器本体内で気化した薬剤を、斜め上方へ向けて放出することができる。
【００２７】
このため、気化した薬剤を水平方向に排出する従来と比較して、薬剤を広範囲に拡散することができる。
【００２８】
また、請求項２の拡散器においては、気化した薬剤を、下壁面と上壁面との間に設けられたフィンによって斜め上方へ向けて放出することができる。
【００２９】
さらに、請求項３の拡散器では、気化した薬剤を傾斜した下壁面によっても上方へ案内し、斜め上方へ向けて放出することができる。
【００３０】
加えて、請求項４の拡散器においては、傾斜した下壁面に対向する上壁面を、拡散器本体の内側から外側へ向かうに従って斜め上方に傾斜する傾斜面で構成することによって、前記上壁面が水平に形成された場合と比較して、外側面近傍での排出口の開口面積の縮小を防止することができる。
【００３１】
これにより、前記薬剤の前記排出口からの放出量の減少を防止することができる。
【００３２】
そして、請求項５の拡散器にあっては、拡散器本体内で気化した薬剤を、下壁面と上壁面間に設けられたフィンによって斜め上方に案内することができる。また、前記薬剤を、傾斜面で構成された下壁面に沿って斜め上方に案内することができる。これにより、前記薬剤を、斜め上方へ向けて放出することができる。
【００３３】
したがって、気化した薬剤を水平方向に排出する従来と比較して、薬剤を広範囲に拡散することができる。
【００３４】
さらに、傾斜した前記下壁面に対向する前記上壁面は、拡散器本体の内側から外側へ向かうに従って斜め上方に傾斜する傾斜面で構成されており、前記上壁面が水平に形成された場合と比較して、外側面近傍での排出口の開口面積の縮小を防止することができる。
【００３５】
これにより、前記薬剤の前記排出口からの放出量の減少を防止することができる。
【００３６】
加えて、前記下壁面の外側の縁の高さ位置は、前記フィンの内側の縁の高さ位置に達する又は近接する高さに設定されているとともに、前記フィンの外側の縁の高さ位置は、前記上壁面の内側の縁の高さ位置に達する又は近接する高さに設定されている。
【００３７】
このため、前記下壁面から前記フィンまでの間隔、及び該フィンから前記上壁面までの間隔を確保しつつ、拡散器本体内と外部との間にて水平に延在する送出経路の形成を防止することができる。
【００３８】
これにより、拡散器本体内と外部との間に水平に延在する送出経路の形成される場合と比較して、横方向からの内部の露出を抑制することができ、外観品質を高めることができる。また、前記薬剤の水平方向への放出を防止し、薬剤のより広範囲への拡散を可能とすることができる。
【００３９】
また、請求項６の拡散器においては、排出口から排出される薬剤を、拡散器本体を中心として放射状に放出することができる。
【００４０】
このため、拡散器本体側面の一部に設けられた排出口のみから薬剤が放出される場合と比較して、薬剤の放出範囲を広げることができる。
【００４１】
さらに、請求項７の拡散器では、空気より重い薬剤が付与された空気を効率良く、広範囲に拡散することができる。
【発明を実施するための最良の形態】
【００４２】
以下、本発明の一実施の形態を図に従って説明する。図１は、本実施の形態にかかる拡散器を構成する芳香器１を示す図であり、該芳香器１は、トイレや居住空間で使用されるものである。
【００４３】
この芳香器１の芳香器本体１１は、図２にも示すように、下部を構成する下部構成部１２と、該下部構成部１２の上部に着脱自在に取り付けられるカバー１３とによって構成されている。該カバー１３内には、薬剤瓶１４が交換可能に設けられており、該薬剤瓶１４に収容された液状薬剤を揮散できるように構成されている。
【００４４】
前記下部構成部材１２は、図３に示すように、底部を構成する容器部２１と、該容器部２１の上部開口部を閉鎖して上下を隔てる隔成部２２と、該隔成部２２上に配置される送出手段としてのファン２３と、前記隔成部２２の上部に間隔を置いて配置されるリング状のリングフィン２４と、該リングフィン２４の上部に間隔を置いて配置される薬剤載置部２５とによって構成されている。
【００４５】
前記容器部２１は、図４に示すように、楕円形の底面３１と、該底面３１の周縁に起立した周壁３２とによって容器状に形成されている。前記底面３１には、上方に膨出した裏面開口状の電池収容部３３が形成されており、当該電池収容部３３に底面側から電池を交換可能に収容できるように構成されている。前記電池収容部３３には、支柱３４，・・・が四カ所に立設されており、各支柱３４，・・・の端部には、前記電池収容部３３側に連通する連通穴３５，・・・が設けられている。また、前記周壁３２には、発光ダイオードが挿入されるライト穴３６が設けられており、その逆側には、スイッチが挿入されるスイッチ穴３７が設けられている。
【００４６】
この容器部２１上に配置される前記隔成部２２の周囲部には、図５に示すように、内側から外縁へ向かうに従って上方に傾斜した下部傾斜面４１が形成されており、その内側には、円筒部４２が四カ所に設けられている。各円筒部４２，・・・の中央部には、円形穴４３，・・・が開設されており、各円形穴４３，・・・は、前記容器部２１に設けられた前記支柱３４，・・・の連通穴３５，・・・と合致する位置に設けられている。
【００４７】
この隔成部２２の裏面には、プリント基板５１が固定されており、該プリント基板５１に構成された電子回路は、前記電池収容部３３内の電池から電源供給を受けて作動するように構成されている。前記プリント基板５１には、前記電子回路によって回動制御されるモータ５２が設けられており、該モータ５２は、前記隔成部２２の中央に膨出形成されたモータ取付部５３内に収容された状態で固定されている。このモータ５２の回転軸５４は、前記隔成部２２を挿通して上方に突出しており、この回転軸５４には、前記ファン２３が固定されている。
【００４８】
該ファン２３は、図３に示したように、前記回転軸５４に取り付けられるボス部６１と、該ボス部６１より側方に延出する延出片６２，・・・と、各延出片６２，・・・に支持され前記モータ取付部５３を包囲するように配置される円筒部６３とによって構成されている。該円筒部６３には、複数のスリット６４，・・・が設けられており、各スリット６４，・・・の縁部からは、内側へ向けて斜めに延出する整流フィン６５，・・・が設けられている。これにより、当該ファン２３が回動された際には、前記各延出片６２，・・・間の開口部分６６，・・・から導入した空気を、前記各スリット６４，・・・から外周部へ排出できるように構成されている。
【００４９】
前記隔成部２２上に配置される前記リングフィン２４は、図６に示すように、楕円リング状に形成されており、その内側には、平坦な平坦部７１が設けられている。この平坦部７１は、前記隔成部２２の前記円筒部４２，・・・に支持されるように構成されており、当該リングフィン２４と前記隔成部２２との間には、前記円筒部４２，・・・の高さ分の間隙が確保されている。前記円筒部４２による支持位置の中央には、上下に貫通する貫通穴７２，・・・が設けられており、当該平坦部７１の外周部には、内側から外周縁へ向かうに従って上方に傾斜した中傾斜面７３が形成されている。
【００５０】
このリングフィン２４上に配置される前記薬剤載置部２５の中央部には、図７に示すように、四カ所の支持部８１，・・・で支持された棚面８２が設けられており、前記各支持部８１，・・・間には、上下を連通する通流部８３，・・・が設けられている。前記棚面８２の縁部には、上方に延出するリブ８４，８４が対向して設けられており、当該棚面８２に載置された前記薬剤瓶１４を位置決めできるように構成されている。
【００５１】
前記棚面８２の外周部には、内側から外周縁へ向かうに従って上方に傾斜した上部傾斜面９１が形成されており、該上部傾斜面９１の上面には、上方に延出する係止片９２，９２が相対向する部位に立設されている。各係止片９２，９２の上端には、前記カバー１３の内側面と係合する係合爪９３，９３が突設されており、該係合爪９３，９３の下部には、押圧操作用の凸部９４，９４が形成されている。
【００５２】
また、前記薬剤載置部２５の裏面には、下方へ向けて延出する脚部１０１，・・・が前記上部傾斜面９１の内側の４カ所に設けられており、各脚部１０１，・・・の基端部には、大径の大径部１０２が形成され、中途部に段部１０３が形成されている（一カ所のみ図示）。また、各脚部１０１，・・・の端部には、小孔が設けられている（図示省略）。
【００５３】
これにより、芳香器本体１１組み立て時には、前記薬剤載置部２５の前記各脚部１０１，・・・を前記リングフィン２４の前記貫通穴７２，・・・へ挿通した際に、前記段部１０３が前記リングフィン２４の上面に当接することによって、当該リングフィン２４と前記薬剤載置部２５との間に所定の間隙を確保できるように構成されている。そして、前記貫通穴７２，・・・を挿通した各脚部１０１，・・・を前記隔成部２２の円筒部４２，・・・に内嵌し、当該隔成部２２を前記容器部２１に取り付けるとともに、この状態で、前記容器部２１の前記電池収容部３３側から当該容器部２１に設けられた前記支柱３４，・・・の連通穴３５，・・・にタッピンネジを挿入するとともに、該タッピンネジを前記脚部１０１，１０１の小孔に螺入することによって、前記薬剤載置部２５と前記リングフィン２４と前記隔成部２２とを前記容器部２１に固定できるように構成されている。
【００５４】
前記カバー１３の上端部には、図２に示したように、水平方向に延在するスリット１１１，・・・が設けられており、下部には、内部に連通する楕円形の窓部１１２が開設されている。また、前記係止片９２に対応する部位には、前記凸部９４を露出させる為の切欠部１１３が設けられており、前記凸部９４の押圧操作を可能としている。
【００５５】
また、前記薬剤瓶１４は、図８に示すように、透明のガラスによって形成されており、矩形容器状の瓶本体１２１と、キャップ取付時に閉鎖される円筒状の口部１２２とによって構成されている。前記瓶本体１２１の対向する側面には、縦長の凹部１２３，１２３が形成されており（一方のみ図示）、取付時において、図２に示したように、前記薬剤載置部２５に設けられた前記リブ８４，８４が前記各凹部１２３，１２３内に挿入された状態で、当該薬剤瓶１４が位置決めされるように構成されている。前記口部１２２には、芯材が収容されており（図示省略）、該芯材が瓶本体１２１内の液状薬剤を吸い上げることによって、芯材の露出部より前記液状薬剤を揮散できるように構成されている。
【００５６】
これにより、図９に示すように、前記下部構成部材１２に前記薬剤瓶１４をセットするとともに前記カバー１３を取り付けて芳香器本体１１を形成した状態で、該芳香器本体１１のカバー１３内には、揮散した液状薬剤が貯留される貯留空間１３１が形成されており、前記スイッチ操作に従って前記モータ５２を作動して前記ファン２３を回動することにより、前記カバー１３上端部のスリット１１１，・・・から前記貯留空間１３１内に空気を導入するとともに、該貯留空間１３１に貯留した空気を、前記薬剤載置部２５の上部傾斜面９１下面が構成する上壁面１３２と前記隔成部２２の前記下部傾斜面４１上面が構成する下壁面１３３との間に当該芳香器本体１１の全周に渡って形成された排出口１３４を介して外部へ放出できるように構成されている。
【００５７】
図１０の（ａ）は、前記薬剤載置部２５の上部傾斜面９１下面が構成する上壁面１３２と、前記隔成部２２の下部傾斜面４１上面が構成する下壁面１３３との間に形成されれた排出口１３４部分の断面を示す模式図であり、前記下壁面１３３の外側の下壁外縁１４１の高さ位置ａは、前記リングフィン２４の内側のフィン内縁１４２の高さ位置ｂに達する又は近接する高さに設定されている。また、前記リングフィン２４の外側のフィン外縁１４３の高さ位置ｃは、前記上壁面１３２の内側の上壁内縁１４４の高さ位置ｄに達する又は近接する高さに設定されている。
【００５８】
具体的に説明すると、前記下壁外縁１４１の高さ位置ａと、前記フィン内縁１４２の高さ位置ｂとは、同じ高さに設定することが望ましいが、両高さｂ，ａの差（ｂ−ａ）を−１０ｍｍ〜５ｍｍの範囲内で設定すれば実使用上不都合は生じ無い。また、前記フィン外縁１４３の高さ位置ｃと、前記上壁内縁１４４の高さ位置ｄとは、同じ高さに設定することが望ましいが、両高さｄ，ｃの差（ｄ−ｃ）を−１０ｍｍ〜５ｍｍの範囲内で設定すれば実使用上不都合は生じない。
【００５９】
これにより、図１０の（ｂ）に示すように、前記薬剤載置部２５の周縁部下面が構成する上壁面１３２と、前記隔成部２２の周縁部上面が構成する下壁面１３３と、前記リングフィン２４とを、内側から外側に渡って水平に形成した場合と比較して、芳香器本体１１内と外部との間にて水平に延在する送出経路１５１，１５１の形成を防止することができる。
【００６０】
以上の構成にかかる本実施の形態において、芳香器本体１１内で気化された薬剤がファン２３によって排出口１３４から外部へ送出する際には、薬剤載置部２５の上部傾斜面９１下面が構成する上壁面１３２と、隔成部２２の下部傾斜面４１上面が構成する下壁面１３３との間に設けられたリングフィン２４によって薬剤を斜め上方に案内することができる。
【００６１】
また、前記排出口１３４を通過する前記薬剤は、前記下部傾斜面４１で構成された下壁面１３３に沿って斜め上方に案内される。これにより、前記薬剤を、斜め上方へ向けて放出することができ、
【００６２】
したがって、気化した薬剤を水平方向に排出する従来と比較して、薬剤を広範囲に拡散することができる。
【００６３】
そして、傾斜した前記下壁面１３３に対向する前記上壁面１３２は、芳香器本体１１１の内側から外側へ向かうに従って斜め上方に傾斜する上部傾斜面９１で構成されており、前記上壁面１３２が水平に形成された場合と比較して、外側面近傍での排出口１３４の開口面積の縮小を防止することができる。これにより、前記薬剤の前記排出口１３４からの放出量の減少を防止することができる。
【００６４】
さらに、前記下壁面１３３の外側の下壁外縁１４１の高さ位置ａは、前記リングフィン２４の内側のフィン内縁１４２の高さ位置ｂに達する又は近接する高さに設定されているとともに、前記フィン１４２の外側のフィン外縁１４３の高さ位置ｃは、前記上壁面１３２の内側の上壁内縁１４４の高さ位置ｄに達する又は近接する高さに設定されている。
【００６５】
このため、前記下壁面１３３から前記リングフィン２４までの間隔、及び該リングフィン２４から前記上壁面１３２までの間隔を確保しつつ、図１０の（ａ）に示すように、芳香器本体１１内と外部との間にて水平に延在する送出経路の形成を防止することができる。
【００６６】
これにより、図１０（ｂ）に示すように、芳香器本体１１内と外部との間に水平に延在する送出経路１５１，１５１が形成される場合と比較して、横方向からの内部の露出を抑制することができ、外観品質を高めることができる。また、前記薬剤の水平方向への放出を防止し、薬剤のより広範囲への拡散を可能とすることができる。
【００６７】
そして、前記排出口１３４を前記芳香器本体１１の全周に渡って形成したため、当該排出口１３４から排出される薬剤を、芳香器本体１１を中心として放射状に放出することができる。
【００６８】
このため、芳香器本体１１側面の一部に設けられた排出口１３４のみから薬剤が放出される場合と比較して、薬剤の放出範囲を広げることができる。
【００６９】
なお、本実施の形態にあっては、排出口１３４に一枚のリングフィン２４を設けた場合を例に挙げて説明したが、これに限定されるものでは無く、複数のフィンを設けても良い。
【００７０】
また、前記下壁面１３３や前記上壁面１３２や前記リングフィン２４の傾斜角度は、任意に変更可能である。
【００７１】
各実施の形態において吸気口１１１付近にフィルタを設け、清浄した空気に薬効を付与させて周囲に排出されるようにすることもできる。
【図面の簡単な説明】
【００７２】
【図１】本発明の一実施の形態を示す図である。
【図２】同実施の形態のカバーを外した状態を示す斜視図である。
【図３】同実施の形態の下部構成部材を示す分解斜視図である。
【図４】同実施の形態の容器部を示す拡大図である。
【図５】同実施の形態の隔成部を示す拡大図である。
【図６】同実施の形態のリングフィンを示す拡大図である。
【図７】同実施の形態の薬剤載置部を示す拡大図である。
【図８】同実施の形態の薬剤瓶を示す拡大図である。
【図９】同実施の形態の内部の様子を示す説明図である。
【図１０】（ａ）は同実施の排出口の断面を示す模式図であり、（ｂ）は比較例を示す参考図である。
【符号の説明】
【００７３】
１    芳香器
１４    薬剤瓶
２３    ファン
２４    リングフィン
５２    モータ
１３２    上壁面
１３３    下壁面
１３４    排出口
１４１    下壁外縁
１４２    フィン内縁
１４３    フィン外縁
１４４    上壁内縁
【図１】
2006158467.tif 000003
【図２】
2006158467.tif 000004
【図３】
2006158467.tif 000005
【図４】
2006158467.tif 000006
【図５】
2006158467.tif 000007
【図６】
2006158467.tif 000008
【図７】
2006158467.tif 000009
【図８】
2006158467.tif 000010
【図９】
2006158467.tif 000011
【図１０】
2006158467.tif 000012